(57)【要約】【課題】全体的体積を減少することができ、かつより良い空間利用性および適用生を有し、正確な定位およびモータを保護する効果を有するシャッタのための駆動装置を提供する。【解決手段】駆動装置は、内管、原動装置、外管、制御装置および結合装置からなる。原動装置は直流モータを有し、外管と連動し、また、外管は内管の外縁にこれを覆って設けられ、磁性リングと連動するように結合される。制御装置は、原動装置と結合され、かつ電源回路、メーンコントローラ、モータ感応回路、駆動回路、押釦スイッチ、受信回路、リモコンスイッチおよび磁性リングを有する。これにより、トータル的体積が大幅に減少でき、かつより優れたモータの定位の正確さを獲得できる。【選択図】図１
0003118685.tif 000002
【実用新案登録請求の範囲】
【請求項１】
シャッタを駆動するための駆動装置であって、
内管と、
該内管内に設けられ、直流モータを有する原動装置と、
前記内管の周りに設置される外管であって該外管が回転されるとき上方または下方へ移動するシャッタスクリーンが取り付けられ、前記直流モータに作動的に接続されている外管と、
電源回路、メインコントローラ、モータ感応回路、駆動回路および磁性リングを含む制御装置であって前記電源回路は直流電源を発生させるために外部交流電源に接続され、前記メインコントローラはマイクロプロセッサを備え、前記モータ感応回路は、前記メインコントローラと、前記磁性リングの角度位置を感知しかつ該磁性リングの角度位置に関する信号を前記メインコントローラに送るためのセンサとを備え、前記磁性リングは前記外管の端部に該外管と共に回転すべく設けられ、前記磁性リングは該磁性リングの異なる回転位置に対応して環状に配置された複数の磁極を備える制御装置とを含み、
前記駆動回路は前記メインコントローラおよび前記モータに電気的に接続され、前記メインコントローラは前記モータの時計方向回転、反時計方向回転および停止を制御すべく前記駆動回路に指令信号を出力し、
前記外管および前記磁性リングは前記モータが作動されたとき回転し、前記センサが前記磁性リングの回転位置および該磁性リングの回転を感知し、前記外管の回転は該外管が所望の回転位置にあるとき前記メインコントローラにより停止される、シャッタのための駆動装置。
【請求項２】
前記原動装置は前記外管と共に回転すべく該外管に固定的に接続された伝動スリーブを備え、前記外管はさらにその一端に係合ノッチを備え、前記磁性リングは前記ノッチに係合する突起を備え前記磁性リングおよび前記外管の結合回転が可能であり、
前記駆動装置は、前記内管の前記端部に固定的に設けられた内方接合座を備える結合装置を含み、該結合装置は、前記内方接合座と共に回転すべく該内方接合座に固定的に接続される外方接合座を備え、前記内方接合座と前記外方接合座との間に、前記磁性リングを受け入れるための環状溝が設けられている、請求項１に記載の駆動装置。
【請求項３】
前記制御装置は、手動コントローラ、受信回路およびリモートコントローラを備え、前記前記リモートコントローラは前記モータの動作を制御するために前記メインコントローラに電気的に接続され、前記受信回路は前記メインコントローラに電気的に接続され、前記リモートコントローラからの指令信号が前記メインコントローラに伝送され、前記リモートコントローラは使用者の手動入力を可能とする複数のボタンを備える、請求項１に記載の駆動装置。
【考案の詳細な説明】
【技術分野】
【０００１】
本考案は、シャッタにおけるシャッタスクリーンを駆動するための駆動装置に関する。
【背景技術】
【０００２】
従来知られているシャッタは図４に示されたようなもので、その使いやすさを増すため、モータによってシャッタの昇降を電動で制御する構造になっている。従来知られた電動シャッタには、外管１'が設けられており、外管１'の中にモータ制御装置２'が設置されている。該モータ制御装置２'は、直流モータおよび制御回路板を備え、シャッタ３'を昇降可能に動作させる。また、該モータ制御装置２'はプラグ（図示せず）および操作スイッチ（図示せず）に繋がり、該プラグは変圧器および整流回路を有するため、交流電源の電圧を低下させて整流してからモータ制御装置２'に電力を供給することができ、前記操作スイッチは昇降および停止のボタンを有し、該ボタンの操作により、モータの回転、逆転および停止の動作を制御することができる。
【０００３】
しかしながら、前記のような構造では別途に体積のより大きくて変圧器のある前記プラグを付加えて設ける必要があり、その体積の大きいプラグのため、プラグを取付ける際、不便をモータらし、またシャッタの外側に取付けるため、全体性も美観も損なわれるという欠点がある。
【０００４】
また、より新型のモータ制御装置２’は、光センサ（図の中に示されていないが）を有する設計であり、該光センサは発光素子、受光器、透明エリアのある回転盤、回転盤を動かす伝動機構を有し、モータの運転および定位を制御する装置であり、該モータ制御装置２’において、前記のようなパーツを収容するために、大幅にその体積を増やさなければならない。また、外管１’の体積も対応にして増えるから、組立の際、該外管１’は大幅に壁の外側へ突出することになり、美感および全体性を損なうという欠点をもたらす。
【考案の開示】
【考案が解決しようとする課題】
【０００５】
本考案の主たる目的は、全体的体積を減少することができ、かつ、より良い空間利用性および適用性を有し、正確な定位およびモータを保護する効果を有するシャッタのための駆動装置を提供することにある。
【課題を解決するための手段】
【０００６】
本考案に係る駆動装置は、内管と、該内管内に設けられ、直流モータを有する原動装置と、前記内管の周りに設置される外管であって該外管が回転されるとき上方または下方へ移動するシャッタスクリーンが取り付けられ、前記直流モータに作動的に接続されている外管と、電源回路、メインコントローラ、モータ感応回路、駆動回路および磁性リングを含む制御装置とを含む。前記電源回路は直流電源を発生させるために外部交流電源に接続され、前記メインコントローラはマイクロプロセッサを備える。前記モータ感応回路は、前記メインコントローラと、前記磁性リングの角度位置を感知しかつ該磁性リングの角度位置に関する信号を前記メインコントローラに送るためのセンサとを備える。前記磁性リングは前記外管の端部に該外管と共に回転すべく設けられ、前記磁性リングは該磁性リングの異なる回転位置に対応して環状に配置された複数の磁極を備える。前記駆動回路は前記メインコントローラおよび前記モータに電気的に接続され、前記メインコントローラは前記モータの時計方向回転、反時計方向回転および停止を制御すべく前記駆動回路に指令信号を出力し、前記外管および前記磁性リングは前記モータが作動されたとき回転し、前記センサが前記磁性リングの回転位置および該磁性リングの回転を感知し、前記外管の回転は該外管が所望の回転位置にあるとき前記メインコントローラにより停止される。
【０００７】
前記電源回路は、例えばＰＷＭ式高周波切り換え回路を有することができ、電圧降下で整流した後、回路系に求められる直流の５Ｖおよびモータに求められる直流の１２Ｖ電源を供給する。
【０００８】
本考案は、次のような構成を備えることができる。すなわち、前記原動装置は前記外管と共に回転すべく該外管に固定的に接続された伝動スリーブを備え、前記外管は、その一端に係合ノッチを備え、前記磁性リングは前記ノッチに係合する突起を備え前記磁性リングおよび前記外管の結合回転が可能であり、前記駆動装置は、前記内管の前記端部に固定的に設けられた内方接合座を備える結合装置を含み、該結合装置は、前記内方接合座と共に回転すべく該内方接合座に固定的に接続される外方接合座を備え、前記内方接合座と前記外方接合座との間に、前記磁性リングを受け入れるための環状溝が設けられている。
【０００９】
また、前記制御装置は、手動コントローラ、受信回路およびリモートコントローラを備え、前記前記リモートコントローラは前記モータの動作を制御するために前記メインコントローラに電気的に接続され、前記受信回路は前記メインコントローラに電気的に接続され、前記リモートコントローラからの指令信号が前記メインコントローラに伝送され、前記リモートコントローラは使用者の手動入力を可能とする複数のボタンを備える。
【考案の効果】
【００１０】
上記のような組合せによって、プラグの体積が減少できるため、取付の便利性およびより良い全体性が増進でき、またモータ感応回路のセンサによって磁性リングの回転数および対応角度が感知できることから、正確な設定効果が得られ、トータル的な体積の大幅減少で、より優れた空間利用性および適用性が獲得できる。
【００１１】
本考案の他の目的、利点および新規な特徴は、添付の図面に関する以下の詳細な説明から、より明らかになろう。
【考案を実施するための最良の形態】
【００１２】
図１乃至３を参照する。図示の実施例では、本考案に係る駆動装置は、内管１、原動装置２、外管３、制御装置４および結合装置５からなる。内管１は、原動装置２および制御装置４の主回路板を収容し、その一端が結合装置５と組合わせられている。
【００１３】
原動装置２は直流モータ２１、減速器２２および伝動スリーブ２３を有し、該伝動スリーブ２３は外管３に固着され該外管に連動する。
【００１４】
外管３は内管１の外周を覆うように該内管に被せられ、その一端に、後述する磁性リングと連動すべくこれと結合するための結合溝３１が設けられており、これにより外管３を回転させるとシャッタスクリーンを構成するシャッタスラット（図示せず）が連れられて昇降する。
【００１５】
制御装置４は、原動装置２に接続され、電源回路４１、メインコントローラ４２、モータ感応回路４３、駆動回路４４、押釦スイッチ４５、受信回路４６、リモートコントロールスイッチ４７および磁性リング４８を有する。電源回路４１は、プラグ４４１に繋がって外の交流電源に接続され、かつＰＷＭ式高周波数切替回路を有する。電源回路４１は、交流電源の電圧を低下させ、整流してから、回路系に求められる直流５Ｖおよび直流モータ２１に求められる直流１２Ｖの電源を提供する。また、モータ感応回路４３はメインコントローラ４２に接続され、該メインコントローラ４２はマイクロプロセッサを有する。また、モータ感応回路４３の磁性リング４８と対応する位置にセンサ４３１が設けられていることから、磁性リング４８との対応角度の位置を感知して、その情報をメインコントローラ４２へ伝送できる。また、駆動回路４４はメインコントローラ４２およびモータ２１に接続して設置されているため、メインコントローラ４２の出力によって駆動回路４４の動作を制御することができ、また、モータ２１の回転、逆転および停止の動作に対応させることもできる。押釦スイッチ４５は、導線によってメインコントローラ４２に接続され、モータ２１の動作を制御するための上、下、停止、設定の各ボタンを有する。また、受信回路４６は、メインコントローラ４２に接続され、リモートコントロールスイッチ４７からの指令信号を受けてこれをメインコントローラ４２へ伝送する、リモートコントロールスイッチ４７は、上、下、停止、設定などの各ボタン（図示せず）を有することから、使用者が前記各ボタンを押すことによって、制御装置４の動作をコントロールすることができる。そして、本考案における制御装置４は、二組または二組以上のものを並列接続（図示せず）にすることができ、かつ一つのリモートコントロールスイッチ４７だけで複数のシャッタのモータを同時に作動させ、それぞれのシャッタスクリーンを昇降させることができる。
【００１６】
磁性リング４８は内管１の一側にある結合装置５に設けられ、磁性リング４８の内縁には磁性装置４８１が組合わせて設けられている。磁性装置４８１の対応する、違った設定角度に磁極が設けてあり（例えば２４極であれば対応して１５°回転したら磁性を有するようになる）、また、磁性リング４８の外縁に、突起としてフランジ４８２が設けられおり、該フランジ４８２は外管３にある係合ノッチである結合溝３１に係合することから、磁性リング４８が外管３に対応して回転できる。
【００１７】
結合装置５は、内方および外方の接合座５１、５２を有する。内方接合座５１は内管１の一端に固着され、また、外接合座５２は内接合座５１に固着に繋がる。内方および外接合座５１、５２の間には、磁性リング４８を納めるための環状溝５３が設けられており、また、外接合座５３に結合板５４が設けられている。
【００１８】
本考案を実施する際、外へ繋がるプラグ４１１から導入された交流電力は回路板の電源回路４１の制御を受けることによって、この交流電力の電圧を低下させて整流することができるため、プラグ４１１の体積を減少することができ、その取付の便利性およびより優れた全体性が増進できる。
【００１９】
また、モータ２１が動き出すと、伝動スリーブ２３、外管３および磁性リング４３が連動して回転し、設定された位置まで回動すると、押釦スイッチ４５或いはリモートコントロールスイッチ４７を押して位置の設定することができる。また、モータ感応回路４３のセンサ４３１によって磁性リング４８の回転数および対応角度が感知できることから正確な設定効果を得ることができ、かつモータ２１の上下限度の位置を超えた様子を感知することができ、これによりモータ２１の動作が停止するように、該モータの動作を制御することができるため、モータ２１を保護し、より良い安全性が確保できる。
【００２０】
また、該磁性リング４８は、内管１の一端にある結合装置５の環状溝５３内に設けられていることから、磁性リング４８の設置によって内管１の体積が増えることが無く、トータル的体積を大幅に減少することができ、より優れた空間利用性および適用性が獲得でき、現場で取付ける際、大幅に壁の外へ突出することも無くて室内における空間の全体的質感を促進することができる。
【００２１】
本考案の多数の特徴および利点が、本考案の構成の詳細および作用と共に前述されたが、その開示は実例を示すために過ぎない。添付の請求項で表現された広い一般的な意味によって示された完全な範囲で、本考案の原理内での細部における変更、特に、形、寸法および部分の配置について変更は可能である。
【図面の簡単な説明】
【００２２】
【図１】本考案に係る組立体の要部を分解して示す斜視図である。
【図２】本考案に係る組立体の一部を示す縦断面である。
【図３】本考案に係る組立体の制御装置のブロック回路図である。
【図４】従来技術を示す組立体の透視図である。
【符号の説明】
【００２３】
１  内管
２  原動装置
２１  モータ
２３  伝動スリーブ
３  外管
３１  係合ノッチ（結合溝）
４  制御装置
４１電源回路
４１１  プラグ
４２  メーンコントローラ
４３  モータ感応回路
４３１  センサ
４４  駆動回路
４５  押釦スイッチ
４６  受信回路
４７  リモートコントロールスイッチ
４８  磁性リング
４８１  磁性装置
４８２  突起（フランジ）
５  結合装置
５１、５２  接合座
５３  環状溝
５４  結合板
【図１】
0003118685.tif 000003
【図２】
0003118685.tif 000004
【図３】
0003118685.tif 000005
【図４】
0003118685.tif 000006